(57)【要約】  左側リム部５のＦＰＣ収納部２９はスリット形状をなし、ＦＰＣ収納部２９内でＦＰＣ２４は基板面が水平となるように左側ＦＰＣ位置決め部材３６によって支持されている。ＦＰＣ収納部２９に支持されているＦＰＣ２４は左側ヒンジ部８の入口で略直角に捩じられ、そしてヒンジピン８Ｃを回り込み左側電子部品収納部１６内に収納されている。ＦＰＣ２４は左側電子部品収納部１６内でＦＰＣ２４の基板面が垂直となるように支持されている。左側ヒンジ部８の近傍に位置する左側ヨロイ部３４にはＦＰＣ２４の左側撓み変形部２４Ｃを受け入れる左側空隙部３５が設けられている
2016194853.tif 000002
【特許請求の範囲】
【請求項１】
眼鏡フレームのブリッジ部からリム部、ヒンジ部、テンプル部に亘りフレキシブルプリント基板の収納部が設けられ、前記収納部の前記ヒンジ部の近傍に前記フレキシブルプリント基板の撓み変形部を受け入れる空隙部が設けられている眼鏡型電子機器。
【請求項２】
前記フレキシブルプリント基板の収納部は前記ブリッジ部、前記リム部、前記ヒンジ部、前記テンプル部を二分割することにより形成されている請求項１に記載の眼鏡型電子機器。
【請求項３】
前記フレキシブルプリント基板は前記リム部の収納部内で基板面が水平となるように支持され、
前記フレキシブルプリント基板は前記ヒンジ部の収納部の近傍で前記撓み変形部を介して略直角に捩じられ前記テンプル部の収納部内で基板面が垂直となるように支持され、
前記フレキシブルプリント基板は前記リム部の収納部内の前記ブリッジ部の近傍で略直角に捩じられ前記ブリッジ部の収納部内で基板面が垂直となるように支持されている請求項１または請求項２に記載の眼鏡型電子機器。
【請求項４】
前記リム部の収納部内の前記ヒンジ部の近傍に前記フレキシブルプリント基板を基板面が平行となるように支持する位置決め部材が取付けられている請求項１〜請求項３のいずれかに記載の眼鏡型電子機器。
【請求項５】
前記位置決め部材は前記リム部の正面側に露出するマーカー部を有する請求項４に記載の眼鏡型電子機器。
【請求項６】
前記フレキシブルプリント基板は前記眼鏡フレームのブリッジ部を間に置き左右両側のモダン部まで延設され、
前記フレキシブル基板は前記ブリッジ部に設けられ人体の鼻に接触して眼電位を検出する人体特性検出装置に電気的に接続され、
前記フレキシブルプリント基板の一端部は一方のモダン部に設けられたバッテリー部にコネクタ部を介して電気的に接続されるとともに前記フレキシブルプリント基板の他端部は他方のモダン部に設けられた電気回路部にコネクタ部を介して電気的に接続されている請求項１〜請求項５のいずれかに記載の眼鏡型電子機器。
【請求項７】
前記各テンプル部の収納部内のフレキシブルプリント基板の各端部は前記収納部内に設けられた位置決め固定部材を介して各コネクタ部に取り付けられている請求項６に記載の眼鏡型電子機器。
【発明の詳細な説明】
【技術分野】
【０００１】
本発明は、人体の頭部に装着して人体の特性を検出する眼鏡型電子機器に関するものである。
【背景技術】
【０００２】
従来より、人体の精神活動や体調の状態を示すパラメータとする皮膚電気活動（Electro Dermal Activity）が知られている。
この人体の皮膚電気活動は人体の皮膚の電位を検出し、人体の特性を検出することができる。
【先行技術文献】
【特許文献】
【０００３】
【特許文献１】特開２０１３−２４４３７０
【発明の概要】
【発明が解決しようとする課題】
【０００４】
現在、眼鏡型電子機器において、人体の皮膚、特に鼻の表面の電位（眼電位）を検出し、これらを基に人体の様々な生体情報を得たいという要請がある。その一例として、特許文献１の機器が提案されている。【０００５】
この機器は、眼鏡フレームのノーズパッドの表面に眼電位を検出する一対の電極を設けたものである。また、ブリッジの表面にも眼電位を検出する電極が設けられている。
上記各電極にて検出された眼電位は導体である電線で接続された外付の眼電図処理ユニットに送られ眼電図信号が処理されるようになっている。【０００６】
上記電線は眼鏡フレームの外部に引き回す配線方法が考えられるが、上記電線が外部に露出すると機器の使用時に上記電線に手等が触れ、断線する恐れがある。【０００７】
そこで、上記電線を眼鏡フレーム内に収納することが考えられるが、上記眼鏡フレームは細く、上記眼鏡フレーム内への上記電線の配線は構造も複雑となり、配線作業も煩雑となる。また、上記眼鏡フレーム内に電線を配線するに際しても、機器に搭載される電子部品の安定した接続状態を維持することが必要となる。【０００８】
本発明はかかる事情に鑑みてなされたものであり、その目的は眼鏡フレーム内への導体の配線を容易に行えるとともに、導体の断線の恐れがなく機器に搭載される電子部品の安定した接続状態を維持できる眼鏡型電子機器を提供することを目的とする。
【課題を解決するための手段】
【０００９】
上述した問題点を解決し、上述した目的を達成するために、眼鏡フレームのブリッジ部からリム部、ヒンジ部、テンプル部に亘りフレキシブルプリント基板の収納部が設けられ、前記収納部の前記ヒンジ部の近傍に前記フレキシブルプリント基板の撓み変形部を受け入れる空隙部が設けられている。
上記構成によれば、眼鏡フレーム内への導体の配線を容易に行えるとともに、導体の断線の恐れがなく機器に搭載される電子部品の安定した接続状態を接続状態を維持できる。【００１０】
好適には、前記フレキシブルプリント基板の収納部は前記ブリッジ部、前記リム部、前記ヒンジ部、前記テンプル部を二分割することにより形成されている。
このような構成によれば、前記フレキシブルプリント基板を眼鏡フレーム内に容易に収納できる。【００１１】
好適には、前記フレキシブルプリント基板は前記リム部の収納部内で基板面が水平となるように支持され、前記フレキシブルプリント基板は前記ヒンジ部の収納部の近傍で前記撓み変形部を介して略直角に捩じられ前記テンプル部の収納部内で基板面が垂直となるように支持され、前記フレキシブルプリント基板は前記リム部の収納部内の前記ブリッジ部の近傍で略直角に捩じられ前記ブリッジ部の収納部内で基板面が垂直となるように支持されている。
このような構成によれば、一本のフレキシブルプリント基板を外部に露出させることなく前記リム部、前記ヒンジ部、前記リム部、そして前記ブリッジ部に亘り配線することができ、デザイン性に優れた眼鏡型電子機器を提供できる。【００１２】
好適には、前記リム部の収納部内の前記ヒンジ部の近傍に前記フレキシブルプリント基板を基板面が平行となるように支持する位置決め部材が取り付けられている。
このような構成によれば、前記フレキシブルプリント基板を細いリム部内に収納し、位置決めできる。【００１３】
好適には、前記位置決め部材は前記リム部の正面側に露出するマーカー部を有する。
このような構成によれば、前記マーカー部を使用者の姿勢や動き、振動等の動作特性を検出する時、平行度等を測定するための基準とすることができる。【００１４】
好適には、前記フレキシブルプリント基板は前記眼鏡フレームのブリッジ部を間に置き左右両側のモダン部まで延設され、前記フレキシブル基板は前記ブリッジ部に設けられ人体の鼻に接触して眼電位を検出する人体特性検出装置に電気的に接続され、前記フレキシブルプリント基板の一端部は一方のモダン部に設けられたバッテリー部にコネクタ部を介して電気的に接続されるとともに前記フレキシブルプリント基板の他端部は他方のモダン部に設けられた電気回路部にコネクタ部を介して電気的に接続されている。
このような構成によれば、一本のフレキシブルプリント基板により、機器内の電子部品を接続した眼鏡型電子機器を提供できる。【００１５】
好適には、前記各テンプル部の収納部内のフレキシブルプリント基板の各端部は前記収納部内に設けられた位置決め固定部材を介して各コネクタ部に取り付けられている。
このような構成によれば、前記フレキシブルプリント基板とコネクタ部の安定した取り付け状態を維持できる。
【発明の効果】
【００１６】
本発明によれば、眼鏡フレーム内への導体の配線を容易に行えるとともに、導体の断線の恐れがなく機器に搭載される電子部品の安定した接続状態を維持できる眼鏡型電子機器を提供することができる。
【図面の簡単な説明】
【００１７】
【図１】本発明の実施形態に係る眼鏡型電子機器の正面側から見た外観斜視図である。
【図２】眼鏡型電子機器の背面側から見た外観斜視図である。
【図３】眼鏡型電子機器の一部分解斜視図である。
【図４】眼鏡型電子機器の右側テンプル部の分解拡大斜視図である。
【図５】眼鏡型電子機器の左側モデム部の近傍の分解拡大斜視図である。
【図６】眼鏡型電子機器の右側モデム部の近傍の分解拡大斜視図である。
【図７】眼鏡型電子機器の左側ヒンジ部の近傍の分解拡大斜視図である。
【図８】眼鏡型電子機器の右側ヒンジ部の近傍の分解拡大斜視図である。
【図９】眼鏡型電子機器のフレキシブルプリント基板の配線状態を示す分解拡大斜視図である。
【図１０】眼鏡型電子機器のブリッジ部を背面側から見た分解拡大斜視図である。
【発明を実施するための形態】
【００１８】
以下、本発明の実施形態に係る眼鏡型電子機器１について、図面を参照し説明する。
図１及び図２に示すように、眼鏡型電子機器１はプラスチックからなる眼鏡フレーム２を有している。
【００１９】
眼鏡フレーム２は人体の左耳の部分に掛けられる左側テンプル部３と人体の右耳にかけられ右側テンプル部４を有している。これら各テンプル部３、４は各耳に掛けるための角度が付けられておらず、人体の左側頭部及び右側頭部を包み込むようなストレート形状をなしている。このような各テンプル部３、４を備えた眼鏡フレーム２はホールド感が高い。
【００２０】
また、眼鏡フレーム２はレンズ６０、６０が取り付けられた左側リム部５と右側リム部６を有している。そして、これら各リム部５、６はブリッジ部７を介して連結されている。
ブリッジ部７には後述する眼電位を検出する人体特性装置５０が取り付けられており、人体の鼻の部分に装着されるようになっている。なお、本発明は人体特性検出装置５０が取り付けられていないものにも適用される。
【００２１】
また、左側テンプル部３と左側リム部５との間には左側ヒンジ部８が設けられており、右側テンプル部４と右側リム部６との間には右側ヒンジ部９が設けられている。
各テンプル部３、４は各ヒンジ部８、９を介して各リム部５、６に対して折曲自在に取り付けられている。なお、眼鏡型電子機器１の未使用時には、一般的に眼鏡フレーム２は左側テンプル部３を先に折り畳み、その後に右側テンプル部４を左側テンプル部３の上に重ね合わせるように折り畳まれる。
【００２２】
左側テンプル部３の先端側の左耳にかかる部分は左側傾斜部１０を介して左側モダン部１１が一体的に設けられている。また、右側テンプル部４の先端側の右耳にかかる部分も右側傾斜部１２を介して右側モダン部１３に一体的に設けられている。
これら各モダン部１１、１３は一般的に先セル、耳あて、イヤーパッドと呼ばれている。各テンプル部３、４と各モダン部１１、１３の連結部分は眼鏡型電子機器１の加重がかかる箇所である。
【００２３】
図３に示すように、左側テンプル部３と左側モダン部１１は内側ハーフ１４と外側ハーフ１５に二分割されている。各ハーフ１４、１５は重ね合わせられており、各ハーフ１４、１５間には左側テンプル部３から左側モダン部１１に亘り細長の左側電子部品収納部１６が形成されている。
【００２４】
また、図４に示すように、右側テンプル部４と右側モダン部１３も内側ハーフ１７と外側ハーフ１８に二分割されている。各ハーフ１７、１８は重ね合わせられており、各ハーフ１７、１８間には右側テンプル部４から右側モダン部１３に亘り細長の右側電子部品収納部１９が形成されている。
【００２５】
各モダン部１１、１３は各傾斜部１０、１２により、各テンプル部３、４より肉厚に形成されている。従って、各モダン部１１、１３内には各テンプル部３、４より、広い収納スペースを確保することができる。
【００２６】
左側電子部品収納部１６において、左側モダン部１１の部分には矩形状のバッテリー部２０が収納されている。バッテリー部２０は左側電子部品収納部１６の左側モダン部１１の部分に形成されている収納スペースの全域に亘り組み込まれており、左側モダン部１１内はバッテリー部２０の専用取り付け部となっている。従って、容量の大きなバッテリーを収納することができる。
【００２７】
右側電子部品収納部１９において、右側モダン部１３の部分には電気回路部２１が収納されている。この電気回路部２１にはバッテリー部２０の充電回路部２２が搭載されている。また、右側モダン部１３には電源スイッチ部（図示は省略する）が設けられている。
【００２８】
また、電気回路部２１には人体の姿勢を検出するセンサ部２３等の電子部品が搭載されている。このセンサ部２３は加速度センサやジャイロセンサ等からなる。加速度センサは眼鏡型電子機器１に作用する加速度を検出するセンサであり、互いに直交する複数の軸方向（例えば２軸、３軸）における角速度をそれぞれ検出する。また、ジャイロセンサは眼鏡型電子機器１に作用する回転動作を検出するセンサである。なお、本発明はセンサ部として６軸ジャイロセンサを設けたものであってもよく、気圧センサを設けたものであってもよく、センサの種類には限定されない。
【００２９】
センサ部２３により使用者の姿勢や動き、振動等の動作特性を検出するようになっている。センサ部２３により検出された動作特性の信号はBluetooth（登録商標）や無線ＬＡＮ等の無線通信により、スマートフォン等の携帯通信端末に送られる。
【００３０】
眼鏡フレーム２のブリッジ部７には人体特性検出装置５０が取り付けられている。人体特性検出装置５０は、人体の鼻の表面電位（例えば眼電位）を検出する。この検出により、当該皮膚の温度を基に、人体の眼の疲れ等の様々な情報を得ることができる。
【００３１】
人体特性検出装置５０は、人体の鼻の鼻筋に対して一方の側面側に設けられ鼻の表面に接触する左側鼻電極バッド５１と、左側鼻電極パッド５１が一端に取り付けられた棒状の左側鼻電極部材５２と、人体の鼻の鼻筋に対して他方の側面側に設けられ鼻の表面に接触する右側鼻電極パッド５３と、右側鼻電極パッド５３が一端に取り付けられた棒状の右側鼻電極部材５４を有している。
【００３２】
また、人体特性検出装置５０は人体の鼻の眉間の部分の表面に接触する平板状の眉間電極パッド５５と、眉間電極パッド５５の背面の中央部分に一端に取り付けられた棒状の眉間電極部材５６を有している。
【００３３】
左側鼻電極部材５１、右側鼻電極部材５３、そして眉間電極部材５５は人体特性検出装置５０内に設けられている配線基板５８（図７を参照）に電気的に接続されている。
【００３４】
左側鼻電極部材５２は左眼の眼電位を検出し、右側鼻電極部材５４は右眼の眼電位を検出し、眉間電極部材５６は眼電位を検出するようになっている。なお、本発明は眉間電極部材５６が無いものにも適用される。
【００３５】
左側鼻電極部材５２、右側鼻電極部材５４及び眉間電極部材５６は材質が銅、チタン、ステンレス等によって形成されている。なお、各鼻電極部材５２、５４及び眉間電極部材５６は導電性の材質を有するものであればよい。
各鼻電極パッド５１、５３と眉間電極パッド５５は各パッド自体が銅、チタン、ステンレス等によって形成されていても良く、その表面を銅、チタン等でメッキ処理されているものであっても良い。
【００３６】
各電子部品収納部１６、１９内には１本のフレキシブルプリント基板２４（以下、ＦＰＣと言う）が収納されている。ＦＰＣ２４により、バッテリー部２０、電気回路部２１及び人体特性検出装置５０の配線基板が電気的に接続されるようになっている。
眼鏡型電子機器１の導体の配線にＦＰＣ２４を使用することにより、配線を容易に行うことができる。また、ＦＰＣ２４の配線が外部に露出しないのでデザイン性に優れた眼鏡型電子機器を提供することができる。
【００３７】
また、左側電子部品収納部１６は二分割された内側ハーフ１４と外側ハーフ１５間に設けられるともに、右側電子部品収納部１９も二分割された内側ハーフ１７と外側ハーフ１８間に設けられている。従って、ＦＰＣ２４を各収納部１６、１９へ収納するとき、各内外ハーフ１４、１５及び各内外ハーフ１７、１８を開放して行うことができ、ＦＰＣ２４の収納の作業性が良い。
【００３８】
図５に示すように、左側電子部品収納部１６において、左側傾斜部１０の部分には左側コネクタ部２５が収納されており、バッテリー部２０は左側コネクタ部２５を介してＦＰＣの左側端部２４Ａに接続されている。
【００３９】
また、左側電子部品収納部１６内における左側コネクタ部２５の近傍には左側ＦＰＣ位置決め固定部材６１が設けられている。左側ＦＰＣ位置決め固定部材６１は外側ハーフ１５に設けられたリブ６１ＡとＦＰＣ２４の左側端部２４Ａに取り付けた鍔部６１Ｂとから構成されている。
鍔部６１Ｂがリブ部６１Ａに係合することにより、ＦＰＣ２４の左側端部２４Ａの左側コネクタ部２５からの抜けが防止されている。従って、ＦＰＣ２４を左側電子部品収納部１６に収納する時、また左側テンプル部３を折り曲げる時に仮にＦＰＣ２４に張力が加わっても、ＦＰＣ２４とバッテリー部２０との安定した接続状態を維持することができる。
【００４０】
また、左側電子部品収納部１６において、左側コネクタ部２５の近傍にはバッテリー部２０へ水分や埃等の侵入を防ぐＰＯＲＯＮ（登録商標）等からなる左側防水部材２６が収納されている。
【００４１】
また、図６に示すように、右側電子部品収納部１９において、右側傾斜部１２の部分には右側コネクタ部２７が収納されており、電気回路部２１は右側コネクタ部２７を介してＦＰＣの右側端部２４Ｂに接続されている。
【００４２】
また、右側電子部品収納部１９内における右側コネクタ部２７の近傍には右側ＦＰＣ位置決め固定部材６２が設けられている。右側ＦＰＣ位置決め固定部材６２は外側ハーフ１７に設けられたリブ６２ＡとＦＰＣ２４の右側端部２４Ｂに取り付けた鍔部６２Ｂとから構成されている。
鍔部６２Ｂがリブ部６２Ａに係合することにより、ＦＰＣ２４の右側端部２４Ｂの右側コネクタ部２７からの抜けが防止されている。従って、ＦＰＣ２４を右側電子部品収納部１９に収納する時、また右側テンプル部４を折り曲げた時に仮にＦＰＣ２４に張力が加わっても、ＦＰＣ２４と電気回路部２１との安定した接続状態を維持することができる。
【００４３】
また、右側電子部品収納部１９において、右側コネクタ部２７の近傍には電気回路部２１への水分や埃等の侵入を防ぐＰＯＲＯＮ（登録商標）等からなる右側防水部材２８が収納されている。
【００４４】
本発明においては、ＦＰＣ２４が一本ではなく、複数に分離され、そして連結されたものであってもよく、ＦＰＣはバッテリー部２０、電気回路部２１及び人体特性検出装置５０の配線基板５８が電気的に接続できる機能を備えていれば良い。
【００４５】
眼鏡フレーム２の左側リム部５の上部側は内側ハーフ５Ａと外側ハーフ５Ｂに二分割され、各ハーフ５Ａ、５Ｂ間にはＦＰＣ収納部２９が設けられている。
また、左側ヒンジ部８の部分も内側ハーフ８Ａと外側ハーフ８Ｂに二分割され、図７に示すように、各ハーフ８Ａ、８Ｂ間にはＦＰＣ収納部３０が設けられている。
従って、ＦＰＣ２４の左側は左側ヒンジ部８のＦＰＣ収納部３０を介して左側リム部５のＦＰＣ収納部２９から左側電子部品収納部１６に亘り収納されている。
【００４６】
また、眼鏡フレーム２の右側リム部６の上部側も内側ハーフ６Ａと外側ハーフ６Ｂに二分割され、各ハーフ６Ａ、６Ｂ間にはＦＰＣ収納部３１が設けられている。また、右側ヒンジ部９の部分も内側ハーフ９Ａと外側ハーフ９Ｂに分割され、図８に示すように、各ハーフ９Ａ、９Ｂ間にはＦＰＣ収納部３２が設けられている。
従って、ＦＰＣ２４の右側は右側ヒンジ部９のＦＰＣ収納部３２を介して右側リム部６のＦＰＣ収納部３１から右側電子部品収納部１９に亘り収納されている。
【００４７】
また、図９にも示すように、ブリッジ部７も内側ハーフ７Ａと外側ハーフ７Ｂに二分割され、各ハーフ７Ａ、７Ｂ間にはＦＰＣ収納部３３が設けられている。
従って、ＦＰＣ２４の左側と右側はブリッジ部７のＦＰＣ収納部３３内で繋がっている状態となっている。
【００４８】
図７にも示すように、左側リム部５のＦＰＣ収納部２９はスリット形状をなし、ＦＰＣ収納部２９内でＦＰＣ２４は基板面が水平となるように支持されている。従って、眼鏡のリム部のように細い部分でもＦＰＣ２４をリム部内に収納できる。
【００４９】
ＦＰＣ収納部２９に支持されているＦＰＣ２４は左側撓み変形部２４Ｃを有し、ＦＰＣ２４は左側撓み変形部２４Ｃを介して左側ヒンジ部８の入口で略直角に捩じられ、そして、ＦＰＣ収納部３０内でヒンジピン８Ｃを回り込み左側電子部品収納部１６内に収納されている。そして、ＦＰＣ２４は左側電子部品収納部１６内でＦＰＣ２４の基板面が垂直となるように支持されている。
【００５０】
左側ヒンジ部８の近傍に位置する左側ヨロイ部３４にはＦＰＣ２４の左側撓み変形部２４Ｃを受け入れる左側空隙部３５が設けられている。
このような構造によれば、左側テンプル部３を折り曲げた時でもＦＰＣ２４に張力が発生するようなことはない。従って、ＦＰＣ２４の断線が生じることはなく、バッテリー部２０との安定した接続状態を維持することができる。
【００５１】
また、左側リム部５のＦＰＣ収納部２９内にはＦＰＣ２４のＦＰＣ収納部２９内での浮きを防止する左側ＦＰＣ位置決め部材３６が左側リム部５の外側ハーフ５Ｂに押し付けられるようにピン３７により取り付けられている。
ＦＰＣ２４を左側ヨロイ部３４側で捩られても、左側ＦＰＣ位置決め部材３６により、ＦＰＣ２４はＦＰＣ収納部２９内で基板面が水平となるように支持され、ＦＰＣ２４の安定した組み込み状態を維持できる。
左側ＦＰＣ位置決め部材３６にはＦＰＣ収納部２９内でのＦＰＣ２４のガイド機能を有するＦＰＣガイド溝部３８が設けられている。ＦＰＣ２４はこのＦＰＣガイド溝部３８内で自由に動ける状態となっている。
【００５２】
ＦＰＣ２４を左側リム部５内に組み込むとき、ＦＰＣ２４を左側ＦＰＣ位置決め部材３６によりＦＰＣ収納部２９内で仮止めできるので、ＦＰＣ２４に邪魔をされることなく左側リム部５を組み立てることができる。
【００５３】
そして、ピン３７は左側リム部５の正面側に露出し、飾り部となる左側マーカー部３９となっている。
【００５４】
本実施形態ではＦＰＣ２４が捩じられ配線される構造であるが、本発明はＦＰＣ２４が捩じられることなく左側リム部５から左側テンプル部３に亘り収納される構造のものであってもよい。また、ＦＰＣ２４の変形を受け入れる左側空隙部３５は左側ヨロイ部３４の位置に限定はされず、ＦＰＣ２４の変形を受け入れる機能を有すれば左側ヒンジ部８の近傍に設けたものであればよい。
【００５５】
図８にも示すように、右側リム部６のＦＰＣ収納部３１はスリット形状をなし、ＦＰＣ収納部３１内でＦＰＣ２４は基板面が水平となるように支持されている。従って、眼鏡のリム部のように細い部分でもＦＰＣ２４をリム部内に収納できる。
【００５６】
ＦＰＣ収納部３１に支持されているＦＰＣ２４は右側撓み変形部２４Ｄを有し、ＦＰＣ２４は左側撓み変形部２４Ｄを介して右側ヒンジ部９の入口で略直角に捩じられ、そして、ＦＰＣ収納部３０内でヒンジピン９Ｃを回り込み右側電子部品収納部１９内に収納されている。そして、ＦＰＣ２４は右側電子部品収納部１９内でＦＰＣ２４の基板面が垂直となるように支持されている。
【００５７】
右側ヒンジ部９の近傍に位置する右側ヨロイ部４０にはＦＰＣ２４の右側撓み変形部２４Ｄを受け入れる右側空隙部４１が設けられている。
このような構造によれば、右側テンプル部４を折り曲げた時もＦＰＣ２４に張力が発生するようなことはない。従って、ＦＰＣ２４の断線が生じることはなく、電気回路部２１との安定した接続状態を維持することができる。
【００５８】
また、右側リム部６のＦＰＣ収納部３１内にはＦＰＣ２４のＦＰＣ収納部３１内での浮きを防止する右側ＦＰＣ位置決め部材４２が右側リム部６の外側ハーフ６Ｂに押し付けられるようにピン４３により取り付けられている。
ＦＰＣ２４が右側ヨロイ部４０側で捻られても、右側ＦＰＣ位置決め部材４２により、ＦＰＣ２４はＦＰＣ収納部３１内で基板面が水平となるように支持され、ＦＰＣ２４の安定した組み込み状態を維持できる。
右側ＦＰＣ位置決め部材４２にはＦＰＣ収納部３１内でのＦＰＣ２４のガイド機能を有するＦＰＣガイド溝部４３が設けられている。ＦＰＣ２４はこのＦＰＣガイド溝部４３内で自由に動ける状態となっている。
【００５９】
ＦＰＣ２４を右側リム部６内に組み込むとき、ＦＰＣ２４を右側ＦＰＣ位置決め部材４２によりＦＰＣ収納部３１内で仮止めできるので、ＦＰＣ２４に邪魔をされることなく右側リム部６を組み立てることができる。
【００６０】
そして、ピン３７は右側リム部６の正面側に露出し、飾り部となる左側マーカー部４４となっている。
【００６１】
本実施形態ではＦＰＣ２４が捩じられ配線される構造であるが、本発明はＦＰＣ２４が捩じられることなく右側リム部６から右側テンプル部４に亘り収納される構造のものであってもよい。また、ＦＰＣ２４の左側撓み変形部２４Ｄを受け入れる右側空隙部４１は右側ヨロイ部４０の位置に限定はされず、ＦＰＣ２４の変形を受け入れる機能を有すれば右側ヒンジ部９の近傍に設けたものであればよい。
【００６２】
また、図１０にも示すように、各ＦＰＣ収納部２９、３１内に収納されているＦＰＣ２４のブリッジ部７側はそれぞれ基板面が略直角となるように捩じられ、人体特性検出装置５０に設けられたＰＯＲＯＮ（登録商標）等からなる中央側防水部材５９に差し込まれるとともに基板面が垂直となるように、人体特性検出装置５０のケース部５７により、ブリッジ部７の外ハーフ７Ｂの内壁面に押さえ付けられるように取り付けられている。従って、ＦＰＣ２４はブリッジ部７側でも浮きが防止されており、ＦＰＣ２４の安定した支持状態を維持できる。
【００６３】
また、人体特性検出装置５０内のＦＰＣ２４は検出信号を電気回路部２１に送信できるように配線基板５８に電気的に接続されている。
【００６４】
なお、左側マーカー部３９と右側マーカー部４４は例えば使用者の姿勢や動き、振動等の動作特性を検出する時、平行度等を測定するための基準となるマーカーとして使用される。
【００６５】
上述した眼鏡型電子機器１によれば、左側モダン部１１に設けたバッテリー部２０と右側モダン部１３に設けた電気回路部２１をＦＰＣ２４により電気的に接続できるので、導体の配線を簡単に行うことができる。また、配線を外部に引き出す必要はなくなり、使い易い眼鏡型電子機器１を提供することができる。
【００６６】
また、ＦＰＣ２４を細い各リム部５、６内、各テンプル部３、４内に収納できるので、デザイン性に優れた眼鏡型電子機器１を提供することができる。
【００６７】
また、各ヒンジ部８、９の近傍にＦＰＣ２４の各撓み変形部２４Ｃ、２４Ｄを受け入れる各空隙部３５、４１を設けたことにより、各テンプル部３、４を折り曲げた時にＦＰＣ２４に不要な張力が発生することはなく、ＦＰＣ２４が断線するようなことはない。
【００６８】
また、ＦＰＣ２４の各端部側２４Ａ、２４Ｂは、ＦＰＣ位置決め固定部材６１、６２により、各コネクター部２５、２７との抜けが防止でき、ＦＰＣ２４とバッテリー部２０と電気回路部２１及び人体特性検出装置５０の安定した接続状態を維持することができる。
【００６９】
また、左側モダン部１１にバッテリー部２０を設けるとともに右側モダン部１３に電気回路部２１を設けることにより、バッテリー部２０と充電回路部２２を分け、さらに電源スイッチ部を電気回路２１側に設けたので、バッテリー部２０側のＦＰＣ２４の電線本数を減らすことができ、電線を太くできる。
【００７０】
本発明は上述した実施形態に限定されない。すなわち、当業者は、本発明の技術的範囲又はその均等の範囲内において、上述した実施形態の構成に関し、様々な変更、コンビネーション、並びに代替を行ってもよい。
【産業上の利用可能性】
【００７１】
本発明の眼鏡型電子機器は人体の頭部に装着し、人体の姿勢を検出するものにも適用され、自動車の運転手の居眠り防止やスポーツ選手のスピードアップ等のデータ収集に使用が可能である。
【符号の説明】
【００７２】
１                眼鏡型電子機器
２                眼鏡フレーム
３                左側テンプル部
４                右側テンプル部
５                左側リム部
６                右側リム部
７                ブリッジ部
８                左側ヒンジ部
９                右側ヒンジ部
１１              左側モダン部
１３              右側モダン部
１６              左側電子部品収納部
１９              右側電子部品収納部
２０              バッテリー部
２１              電気回路部
２４              フレキシブルプリント基板（ＦＰＣ）
２４Ａ            左側端部
２４Ｂ            右側端部
２４Ｃ            左側撓み変形部
２４Ｄ            右側撓み変形部
２５              左側コネクタ部
２７              右側コネクタ部
２９、３１、３３  ＦＰＣ収納部
３５              左側空隙部
３６              左側ＦＰＣ位置決め部材
３９              左側マーカー部
４１              右側空隙部
４２              右側ＦＰＣ位置決め部材
４４              右側マーカー部
５０              人体特性検出装置
６１              左側ＦＰＣ位置決め固定部材
６２              右側ＦＰＣ位置決め固定部材
【図１】
2016194853.tif 000003
【図２】
2016194853.tif 000004
【図３】
2016194853.tif 000005
【図４】
2016194853.tif 000006
【図５】
2016194853.tif 000007
【図６】
2016194853.tif 000008
【図７】
2016194853.tif 000009
【図８】
2016194853.tif 000010
【図９】
2016194853.tif 000011
【図１０】
2016194853.tif 000012
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
眼鏡フレームのブリッジ部からリム部、ヒンジ部、テンプル部に亘りフレキシブルプリント基板の収納部が設けられ、前記収納部の前記ヒンジ部の近傍に前記フレキシブルプリント基板の撓み変形部を受け入れる空隙部が設けられている眼鏡型電子機器。
【請求項２】
前記フレキシブルプリント基板の収納部は前記ブリッジ部、前記リム部、前記ヒンジ部、前記テンプル部を二分割することにより形成されている請求項１に記載の眼鏡型電子機器。
【請求項３】
前記フレキシブルプリント基板は前記リム部の収納部内で基板面が水平となるように支持され、
前記フレキシブルプリント基板は前記ヒンジ部の収納部の近傍で前記撓み変形部を介して略直角に捩じられ前記テンプル部の収納部内で基板面が垂直となるように支持され、
前記フレキシブルプリント基板は前記リム部の収納部内の前記ブリッジ部の近傍で略直角に捩じられ前記ブリッジ部の収納部内で基板面が垂直となるように支持されている請求項１または請求項２に記載の眼鏡型電子機器。
【請求項４】
前記リム部の収納部内の前記ヒンジ部の近傍に前記フレキシブルプリント基板を基板面が水平となるように支持する位置決め部材が取付けられている請求項１〜請求項３のいずれかに記載の眼鏡型電子機器。
【請求項５】
前記位置決め部材は前記リム部の正面側に露出するマーカー部を有する請求項４に記載の眼鏡型電子機器。
【請求項６】
前記フレキシブルプリント基板は前記眼鏡フレームのブリッジ部を間に置き左右両側のモダン部まで延設され、
前記フレキシブル基板は前記ブリッジ部に設けられ人体の鼻に接触して眼電位を検出する人体特性検出装置に電気的に接続され、
前記フレキシブルプリント基板の一端部は一方のモダン部に設けられたバッテリー部にコネクタ部を介して電気的に接続されるとともに前記フレキシブルプリント基板の他端部は他方のモダン部に設けられた電気回路部にコネクタ部を介して電気的に接続されている請求項１〜請求項５のいずれかに記載の眼鏡型電子機器。
【請求項７】
前記各テンプル部の収納部内のフレキシブルプリント基板の各端部は前記収納部内に設けられた位置決め固定部材を介して各コネクタ部に取り付けられている請求項６に記載の眼鏡型電子機器。
【手続補正２】
【補正対象書類名】明細書
【補正対象項目名】００１２
【補正方法】変更
【補正の内容】
【００１２】
好適には、前記リム部の収納部内の前記ヒンジ部の近傍に前記フレキシブルプリント基板を基板面が水平となるように支持する位置決め部材が取り付けられている。
このような構成によれば、前記フレキシブルプリント基板を細いリム部内に収納し、位置決めできる。
【手続補正３】
【補正対象書類名】明細書
【補正対象項目名】００１７
【補正方法】変更
【補正の内容】
【００１７】
【図１】本発明の実施形態に係る眼鏡型電子機器の正面側から見た外観斜視図である。
【図２】眼鏡型電子機器の背面側から見た外観斜視図である。
【図３】眼鏡型電子機器の一部分解斜視図である。
【図４】眼鏡型電子機器の右側テンプル部の分解拡大斜視図である。
【図５】眼鏡型電子機器の左側モダン部の近傍の分解拡大斜視図である。
【図６】眼鏡型電子機器の右側モダン部の近傍の分解拡大斜視図である。
【図７】眼鏡型電子機器の左側ヒンジ部の近傍の分解拡大図である。
【図８】眼鏡型電子機器の右側ヒンジ部の近傍の分解拡大斜視図である。
【図９】眼鏡型電子機器のフレキシブルプリント基板の配線状態を示す分解拡大斜視図である。
【図１０】眼鏡型電子機器のブリッジ部を背面側から見た分解拡大図である。
【手続補正４】
【補正対象書類名】明細書
【補正対象項目名】００２０
【補正方法】変更
【補正の内容】
【００２０】
また、眼鏡フレーム２はレンズ６０、６０が取り付けられた左側リム部５と右側リム部６を有している。そして、これら各リム部５、６はブリッジ部７を介して連結されている。
ブリッジ部７には後述する眼電位を検出する人体特性検出装置５０が取り付けられており、人体の鼻の部分に装着されるようになっている。なお、本発明は人体特性検出装置５０が取り付けられていないものにも適用される。
【手続補正５】
【補正対象書類名】明細書
【補正対象項目名】００３１
【補正方法】変更
【補正の内容】
【００３１】
人体特性検出装置５０は、人体の鼻の鼻筋に対して一方の側面側に設けられ鼻の表面に接触する左側鼻電極パッド５１と、左側鼻電極パッド５１が一端に取り付けられた棒状の左側鼻電極部材５２と、人体の鼻の鼻筋に対して他方の側面側に設けられ鼻の表面に接触する右側鼻電極パッド５３と、右側鼻電極パッド５３が一端に取り付けられた棒状の右側鼻電極部材５４を有している。
【手続補正６】
【補正対象書類名】明細書
【補正対象項目名】００３３
【補正方法】変更
【補正の内容】
【００３３】
左側鼻電極部材５２、右側鼻電極部材５４、そして眉間電極部材５６は人体特性検出装置５０内に設けられている配線基板５８（図９を参照）に電気的に接続されている。
【手続補正７】
【補正対象書類名】明細書
【補正対象項目名】００５６
【補正方法】変更
【補正の内容】
【００５６】
ＦＰＣ収納部３１に支持されているＦＰＣ２４は右側撓み変形部２４Ｄを有し、ＦＰＣ２４は右側撓み変形部２４Ｄを介して右側ヒンジ部９の入口で略直角に捩じられ、そして、ＦＰＣ収納部３２内でヒンジピン９Ｃを回り込み右側電子部品収納部１９内に収納されている。そして、ＦＰＣ２４は右側電子部品収納部１９内でＦＰＣ２４の基板面が垂直となるように支持されている。
【手続補正８】
【補正対象書類名】明細書
【補正対象項目名】００５８
【補正方法】変更
【補正の内容】
【００５８】
また、右側リム部６のＦＰＣ収納部３１内にはＦＰＣ２４のＦＰＣ収納部３１内での浮きを防止する右側ＦＰＣ位置決め部材４２が右側リム部６の外側ハーフ６Ｂに押し付けられるようにピン４７により取り付けられている。
ＦＰＣ２４が右側ヨロイ部４０側で捻られても、右側ＦＰＣ位置決め部材４２により、ＦＰＣ２４はＦＰＣ収納部３１内で基板面が水平となるように支持され、ＦＰＣ２４の安定した組み込み状態を維持できる。
右側ＦＰＣ位置決め部材４２にはＦＰＣ収納部３１内でのＦＰＣ２４のガイド機能を有するＦＰＣガイド溝部４３が設けられている。ＦＰＣ２４はこのＦＰＣガイド溝部４３内で自由に動ける状態となっている。
【手続補正９】
【補正対象書類名】明細書
【補正対象項目名】００６０
【補正方法】変更
【補正の内容】
【００６０】
そして、ピン４７は右側リム部６の正面側に露出し、飾り部となる右側マーカー部４４となっている。
【手続補正１０】
【補正対象書類名】明細書
【補正対象項目名】００６１
【補正方法】変更
【補正の内容】
【００６１】
本実施形態ではＦＰＣ２４が捩じられ配線される構造であるが、本発明はＦＰＣ２４が捩じられることなく右側リム部６から右側テンプル部４に亘り収納される構造のものであってもよい。また、ＦＰＣ２４の右側撓み変形部２４Ｄを受け入れる右側空隙部４１は右側ヨロイ部４０の位置に限定はされず、ＦＰＣ２４の変形を受け入れる機能を有すれば右側ヒンジ部９の近傍に設けたものであればよい。
【手続補正１１】
【補正対象書類名】明細書
【補正対象項目名】００７２
【補正方法】変更
【補正の内容】
【００７２】
１                眼鏡型電子機器
２                眼鏡フレーム
３                左側テンプル部
４                右側テンプル部
５                左側リム部
６                右側リム部
７                ブリッジ部
８                左側ヒンジ部
９                右側ヒンジ部
１１              左側モダン部
１３              右側モダン部
１６              左側電子部品収納部
１９              右側電子部品収納部
２０              バッテリー部
２１              電気回路部
２４              フレキシブルプリント基板（ＦＰＣ）
２４Ａ            左側端部
２４Ｂ            右側端部
２４Ｃ            左側撓み変形部
２４Ｄ            右側撓み変形部
２５              左側コネクタ部
２７              右側コネクタ部
２９、３０、３１、３２、３３  ＦＰＣ収納部
３５              左側空隙部
３６              左側ＦＰＣ位置決め部材
３９              左側マーカー部
４１              右側空隙部
４２              右側ＦＰＣ位置決め部材
４４              右側マーカー部
５０              人体特性検出装置
６１              左側ＦＰＣ位置決め固定部材
６２              右側ＦＰＣ位置決め固定部材
【手続補正１２】
【補正対象書類名】図面
【補正対象項目名】図５
【補正方法】変更
【補正の内容】
【図５】
2016194853.tif 000013
【手続補正１３】
【補正対象書類名】図面
【補正対象項目名】図８
【補正方法】変更
【補正の内容】
【図８】
2016194853.tif 000014
【国際調査報告】
2016194853.tif 000015
2016194853.tif 000016
2016194853.tif 000017
2016194853.tif 000018